【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
一以上のコンテンツ群を作成し、
前記コンテンツ群の少なくとも一つが、２種類以上のコンテンツを含み、
前記一以上のコンテンツ群を示す画面を、ユーザに対し提供する、ユーザへのコンテンツ推薦方法。
【請求項２】
前記一以上のコンテンツ群を作成することは、
一つのコンテンツ群作成ロジックをランダムに作成し、前記ランダムに作成されたコンテンツ群作成ロジックに基づいて、前記一以上のコンテンツ群を作成することからなる、請求項１に記載の方法。
【請求項３】
前記一以上のコンテンツ群を作成することは、
一つのアルゴリズムをランダムに選択し、前記ランダムに選択されたアルゴリズムに基づいて、前記一以上のコンテンツ群を作成することからなる、請求項１に記載の方法。
【請求項４】
前記一以上のコンテンツ群を作成することは、
一つのコンテンツ群作成ロジックをランダムに作成し、一つのアルゴリズムをランダムに選択し、前記ランダムに作成されたコンテンツ群作成ロジックと、前記ランダムに選択されたアルゴリズムに基づいて、前記一以上のコンテンツ群を作成することからなる、請求項１に記載の方法。
【請求項５】
前記２種類以上のコンテンツとは、動画コンテンツ、写真コンテンツ、音楽コンテンツのうち、少なくとも一種類以上のコンテンツを含む、請求項１に記載の方法。
【請求項６】
前記一以上のコンテンツ群を示す画面を、ユーザに対し提供することは、
２以上のコンテンツ群を示す画面を、同時にユーザに対し提供することを含む、請求項１に記載の方法。
【請求項７】
前記２以上のコンテンツ群を示す画面を、同時にユーザに対し提供することは、
それぞれのコンテンツ群作成ロジックに基づいて作成された、前記２以上のコンテンツ群を示す画面を、同時にユーザに対し提供することからなる、請求項６に記載の方法。
【請求項８】
前記２以上のコンテンツ群を作成し、前記一以上のコンテンツ群を示す画面をユーザに対し提供することは、
前記作成されたコンテンツ群をそれぞれ特定する多数のアイコンを、ユーザに対し提供することを含む、請求項１に記載の方法。
【請求項９】
前記一以上のコンテンツ群を作成することは、
ユーザの嗜好情報に基づいて、一以上のコンテンツ群を作成することを含む、請求項１に記載の方法。
【請求項１０】
一以上のコンテンツ群を作成し、前記コンテンツ群の少なくとも一つが２種類以上のコンテンツを含む、少なくとも一つのプロセッサーと、
前記一以上のコンテンツ群を示す情報を、ユーザに対し提供するためのディスプレイと、
を備える、ユーザへのコンテンツ推薦システム。
【請求項１１】
前記一以上のコンテンツ群を作成することは、
一つのコンテンツ群作成ロジックをランダムに作成し、前記ランダムに作成されたコンテンツ群作成ロジックに基づいて、前記一以上のコンテンツ群を作成することからなる、請求項１０に記載のシステム。
【請求項１２】
前記一以上のコンテンツ群を作成することは、
一つのアルゴリズムをランダムに選択し、前記ランダムに選択されたアルゴリズムに基づいて、前記一以上のコンテンツ群を作成することからなる、請求項１０に記載のシステム。
【請求項１３】
前記一以上のコンテンツ群を作成することは、
一つのコンテンツ群作成ロジックをランダムに作成し、一つのアルゴリズムをランダムに選択し、前記ランダムに作成したコンテンツ群作成ロジックと、前記ランダムに選択したアルゴリズムに基づいて、前記一以上のコンテンツ群を作成することからなる、請求項１０に記載のシステム。
【請求項１４】
前記２種類以上のコンテンツとは、動画コンテンツ、写真コンテンツ、音楽コンテンツのうち、少なくとも一種類以上のコンテンツを含む、請求項１０に記載のシステム。
【請求項１５】
前記一以上のコンテンツ群を示す情報を、ユーザに対し提供することは、
２以上のコンテンツ群を示す情報を、同時にユーザに対し提供することを含む、請求項１０に記載のシステム。
【請求項１６】
前記２以上のコンテンツ群を示す情報を、同時にユーザに対し提供することは、
それぞれのコンテンツ群作成ロジックに基づいて作成される、２以上のコンテンツ群を示す情報を、同時にユーザに対し提供することからなる、請求項１５に記載のシステム。
【請求項１７】
前記２以上のコンテンツ群が作成され、前記一以上のコンテンツ群を示す情報をユーザに対し提供することは、
前記作成されたコンテンツ群をそれぞれ特定する多数のアイコンを、ユーザに対し提供することを含む、請求項１０に記載のシステム。
【請求項１８】
前記一以上のコンテンツ群を作成することは、
ユーザの嗜好情報に基づいて、前記一以上のコンテンツ群を作成することを含む、請求項１０に記載のシステム。
【請求項１９】
コンピュータに対し、
一以上のコンテンツ群を作成し、前記コンテンツ群の少なくとも一つが、２種類以上のコンテンツを含み、前記一以上のコンテンツ群を示す画面を、ユーザに対し提供するユーザへのコンテンツ推薦方法を実行させるための、コンピュータ読取可能なプログラムを記録した、コンピュータ読取可能な記録媒体。
【請求項２０】
前記一以上のコンテンツ群を作成することは、
一つのコンテンツ群作成ロジックをランダムに作成し、前記ランダムに作成されたコンテンツ群作成ロジックに基づいて、前記一以上のコンテンツ群を作成することからなる、請求項１９に記載のコンピュータ読取可能な記録媒体。
【手続補正２】
【補正対象書類名】明細書
【補正対象項目名】発明の名称
【補正方法】変更
【補正の内容】
【発明の名称】ユーザへのコンテンツ推薦方法、ユーザへのコンテンツ推薦システム及びコンピュータ読取可能な記録媒体
【手続補正３】
【補正対象書類名】明細書
【補正対象項目名】００４４
【補正方法】変更
【補正の内容】
【００４４】
フィードバック制御部１１０５は、ユーザの入力情報を嗜好情報にフィードバックする機能を有する。例えば、ユーザが、表示されたコンテンツ群の中から再生するコンテンツ群を選択する動作をすると、その選択動作の情報を嗜好情報解析データベース１０８に格納可能な形式のデータに変換して、嗜好情報解析データベース１０８に記憶する。
【手続補正４】
【補正対象書類名】明細書
【補正対象項目名】００５０
【補正方法】変更
【補正の内容】
【００５０】
出力装置８１４は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置およびランプなどの表示装置と、スピーカおよびヘッドホンなどの音声出力装置で構成される。出力装置８１４は、例えば、再生されたコンテンツを出力する。具体的には、表示装置は再生された映像データ等の各種情報をテキストまたはイメージで表示する。一方、音声出力装置は、再生された音声データ等を音声に変換して出力する。出力装置８１４は、図２の出力部１０４に対応する。
【手続補正５】
【補正対象書類名】明細書
【補正対象項目名】００５５
【補正方法】変更
【補正の内容】
【００５５】
＜４．情報処理装置のホーム画面表示における動作＞
次に、図４〜図６を用いて、本実施形態に係る情報処理装置１０の、ホーム画面を表示する際の動作について説明をする。図４は、本発明の一実施形態に係る情報処理装置１０が表示させるホーム画面の一例を示す説明図である。図５は、本発明の一実施形態に係る情報処理装置１０が表示させるホーム画面の他の一例を示す説明図である。図６は、本発明の一実施形態に係る情報処理装置１０がホーム画面を表示させる際の動作について示したフローチャートである。
【手続補正６】
【補正対象書類名】明細書
【補正対象項目名】００６９
【補正方法】変更
【補正の内容】
【００６９】
また一方、フィードバック制御部１１０５は、再生したコンテンツの情報に基づいて、嗜好解析データベース１０８を更新する（Ｓ１２０）。
【手続補正７】
【補正対象書類名】明細書
【補正対象項目名】００７５
【補正方法】変更
【補正の内容】
【００７５】
今、副コンテンツとして音楽コンテンツ群３０４が再生されている。このとき、右端の関連コンテンツ欄には、主コンテンツである写真コンテンツ３０２に関連するコンテンツ群３２０と、副コンテンツである音楽コンテンツ群３０４中の再生中のコンテンツ「タイトルＡ」に関連するコンテンツ群３２０とが混在して表示されている。
【手続補正８】
【補正対象書類名】明細書
【補正対象項目名】００８６
【補正方法】変更
【補正の内容】
【００８６】
以上の処理を経て、図７に示すようなプレイヤー画面３０００に関連コンテンツとしてコンテンツ群３２０が表示される。この状態において、ＢＧＭとして再生されている音楽コンテンツが、次の楽曲に移り、再生コンテンツが変化した場合、若しくは、ユーザ操作に応じて再生コンテンツが変化した場合には、コンテンツ群作成制御部１１０３は、再生コンテンツが変化したか否かを判定し（Ｓ２１２）、上記のような理由により再生コンテンツが変化した場合には、再びステップＳ２０２に戻る。そして、ステップＳ２０２からステップＳ２１０までの処理が再び繰り返される。このとき、ステップＳ２０２の基礎データ取得ステップにおいて、基礎データ取得部１１０２は、変化後の再生コンテンツのメタデータを取得する。
【手続補正９】
【補正対象書類名】明細書
【補正対象項目名】００８７
【補正方法】変更
【補正の内容】
【００８７】
そして、ステップＳ２１２において、再生コンテンツが変化しないままである場合には、出力制御部１１０４は、ユーザがコンテンツ群を選択入力したか否かを判定し（Ｓ２１４）、ユーザがコンテンツ群を選択入力したことが検知されると、出力制御部１１０４は、選択されたコンテンツ群を再生する（Ｓ２１６）。また一方、フィードバック制御部１１０５は、再生したコンテンツの情報に基づいて、嗜好解析データベース１０８を更新する（Ｓ２１８）。